(57)【要約】【課題】表面全体に装飾を施すことによって筆記用具全体が露出しても見栄えのする筆記用具を提供すること。【解決手段】筆記用具１０は径が筆記用具１０の径の４分の１以下の光沢のあるチップ１４を表面全体に接着剤によって貼り付けてある。プラスティック製のチップ１４は略円盤状であり、底面は平らな円形であり、表面は多角錐の上部を水平に切り取った、垂直断面が台形の多面体である。チップ１４は筆記用具１０の表面に最密詰め配置されている。筆記用具の少なくとも一部を透明として内部に照明手段を設けてもよい。チップ１４の表面で光が反射して輝き、見栄えがして綺麗である。【選択図】図１
2009107218.tif 000002
【特許請求の範囲】
【請求項１】
径が筆記用具の径の４分の１以下の光沢のあるチップを表面全体に貼り付けたことを特徴とする筆記用具。
【請求項２】
前記チップは略円盤状であり、底面は平らな円形であり、表面は多角錐の上部を水平に切り取った、垂直断面が台形の多面体であり、
前記チップを筆記用具の表面に最密詰め配置したことを特徴とする請求項１に記載の筆記用具。
【請求項３】
前記チップの配置デザインに基づき、表面に前記チップと同色の下地塗装を施してから接着剤を塗布し、塗布された接着剤の上に前記下地塗装と同色の前記チップを貼り付けたことを特徴とする請求項１に記載の筆記用具。
【請求項４】
筆記用具の少なくとも一部が透明な材料で形成されており、かつ内部に照明手段を備えたことを特徴とする請求項１に記載の筆記用具。
【発明の詳細な説明】
【技術分野】
【０００１】
本発明は、筆記用具に関するものであり、特に、表面全体に装飾を施すことによって見栄えのする筆記用具に関するものである。
【背景技術】
【０００２】
装飾を施したボールペンやシャープペンシルといった筆記用具に関して、例えば下記の特許文献１には、筆記軸頂部に視覚的変化に富んだ新たなアクセサリー部材を取付けた筆記用具が開示されている。
【特許文献１】実用新案登録第３０９９５１９号公報
【発明の開示】
【発明が解決しようとする課題】
【０００３】
上記した従来の筆記軸頂部にアクセサリー部材を取付けた筆記用具においては、胸のポケット等に刺して使用する場合には問題は無いが、アクセサリとして首から掛けたり、ベルトやバッグに付けたり、携帯電話機のストラップとして使用するには適さないという問題点があった。
【０００４】
本発明は、上記した課題を解決し、表面全体に装飾を施すことによって筆記用具全体が露出しても見栄えのする筆記用具を提供することを目的とする。
【課題を解決するための手段】
【０００５】
本発明の筆記用具は径が筆記用具の径の４分の１以下の光沢のあるチップを表面全体に貼り付けたことを主要な特徴とする。また、前記した筆記用具において、前記チップは略円盤状であり、底面は平らな円形であり、表面は多角錐の上部を水平に切り取った、垂直断面が台形の多面体であり、前記チップを筆記用具の表面に最密詰め配置した点にも特徴がある。
【０００６】
また、前記した筆記用具において、前記チップの配置デザインに基づき、表面に前記チップと同色の下地塗装を施してから接着剤を塗布し、塗布された接着剤の上に前記下地塗装と同色の前記チップを貼り付けた点にも特徴がある。また、前記した筆記用具において、筆記用具の少なくとも一部が透明な材料で形成されており、かつ内部に照明手段を備えた点にも特徴がある。
【発明の効果】
【０００７】
本発明の筆記用具は上記したような特徴によって、以下のような効果がある。
（１）光沢のあるチップを表面全体に貼り付けたので、チップ表面で光が反射して輝き、筆記用具全体が露出しても見栄えがして綺麗である。
【０００８】
（２）筆記用具としての実用性とアクセサリとしての装飾性を兼ね備えており、製品を小型化することによって携帯電話ストラップとしても使用できる。
【発明を実施するための最良の形態】
【０００９】
以下、本発明をボールペンに適用した実施例について図面を参照して説明するが、本発明はボールペンを始め、万年筆、シャープペン、フェルトペンなど任意の筆記用具に適用可能である。
【実施例１】
【００１０】
図１は、本発明の筆記用具の実施例の構成を示す断面図、一部拡大断面図、拡大平面図である。また、図２は、図面に代えて本発明の筆記用具の１実施例の構成を示す写真である。
【００１１】
ボールペン１０は大きく分けて、前部ケース１１、後部ケース１２、内部機構（２０、２１、２２など）の３つの部品からなる。前部ケース１１は内部機構の前部部品２０と接着剤によって固着されている。
【００１２】
後部ケース１２はクリップ１３を備え、内部機構の後部部品２１と摩擦によって係合しているが、強く引っぱることにより、後部ケース１２を後部部品２１から引き抜くことが可能である。なお、後部ケース１２の後端部にストラップ用のひもを通す孔を設けてもよい。
【００１３】
内部機構はボールペンの芯２２を前後に移動させるための機構である。内部機構は前部部品２０、後部部品２１、内部部品３０、芯２２の４つの部品からなる。前部部品２０は、プラスティック製の略円筒状の部品であり、くびれ部２４によって後部部品２１と回転可能に嵌合している。前部部品２０の後部内面には内部部品３０の表面に設けられた斜めの溝３２と係合する円筒状の突起２５が設けられている。
【００１４】
金属製の後部部品２１は前部部品２０と回転可能に嵌合しており、後部部品２１の後部内面には中心軸と並行な帯状突起２３が複数本設けられている。この帯状突起２３は、内部部品３０の外側面に設けられた帯状突起３１と係合している。従って、内部部品３０は後部部品２１の内部を前後に摺動可能に保持されており、後部部品２１を回動すると一緒に回動する。
【００１５】
プラスティック製の内部部品３０には、前記したように前部表面に斜めの溝３２が設けられており、前部部品２０の後部内面に設けられた円筒状の突起２５と係合している。また、内部部品３０の内部には芯２２の後端に固着された芯固定部品３３がネジ溝によって着脱可能に固着されている。
【００１６】
前部ケース１１は内部機構の前部部品２０と接着剤によって固着されており、後部ケース１２は後部部品２１と摩擦によって係合している。従って、前部ケース１１を手で保持して後部ケース１２を回動させると内部機構の前部部品２０に対して後部部品２１が回動する。すると、内部部品３０が後部部品２１と一緒に回動し、内部部品３０の斜めの溝３２と前部部品２０の突起２５との係合位置が変化して内部部品３０および芯２２が前部部品２０に対して前後に移動する。
【００１７】
なお、芯固定部品３３の端部にはドライバの先端と嵌合する溝が設けられており、後部ケース１２を外してドライバで芯固定部品３３および芯２２を着脱／交換可能である。また、芯２２の移動機構として一例を開示したが、芯２２の移動あるいは芯２２の先端部のカバー構造については公知の任意の構成を採用可能である。
【００１８】
前部ケース１１および後部ケース１２のケース基部１５は金属あるいはプラスティックにより形成されている。ケース基部１５の表面には配色のデザインに基づき、表面に貼り付けるチップ１４と同色の下地塗装１６、１７を施してから接着剤１８をケース全体に塗布し、塗布された接着剤１８の上に下地塗装と同色のチップ１４を貼り付けてある。
【００１９】
チップ１４は、例えばアクリル等のプラスティック製の透明、半透明あるいは着色された小片であり、表面は光沢がある。プラスティック素材を使用する事により製品を軽量化することができると共に製造が容易となる。チップ１４の形状は略円盤状であり、底面は平らな円形であり、表面は多角錐（実施例では６角錐）の上部を水平に切り取った、垂直断面が台形の多面体である。直径はボールペン１０（ケース１１、１２）の直径の１／４〜１／６程度（３ｍｍ〜１ｍｍ程度）である。
【００２０】
チップ１４の配置はボールペン１０の中心軸に対して並行に直線状に配列するのではなく、図１に示すように、ボールペン１０の中心軸に対して垂直方向に直線状に並ぶ最密詰め配置とすることにより、チップ１４の密度が高くなり、輝き具合を高めることができる。
【００２１】
チップ１４の形状は略円盤状であるので、最密詰め配置としても隙間が生じ、隙間から下地が見える。そこで、表面に貼り付けるチップ１４と同色の下地塗装１６、１７を施し、更に透明な接着剤の表面は光沢があり、光を反射するようになっている。
【００２２】
次に、照明手段を備えた例について説明する。この実施例は、上記した実施例の変形例であり、筆記用具の少なくとも一部が透明な材料で形成されており、かつ内部に照明手段を備えた点に特徴がある。
【００２３】
図１において、後部ケース１２の内部に、チップ１４と同色の発光ダイオード４０、小型ボタン電池４１、スイッチ４２を図示するように配置、配線する。なお、図示されていないが、回路中に電流制限用の抵抗あるいは定電流ダイオードが存在する。
【００２４】
スイッチ４２は、芯２２が格納されており、芯固定部品３３が突出してスイッチ４２を押下している場合にオフとなり、後部ケース１２を回動して芯２２を出し、芯固定部品３３が引っ込んだ場合にスイッチ４２がオンとなるようなスイッチを用いる。なお、芯２２とは連動しない手動スイッチを別に設けてもよい。
【００２５】
後部ケース１２は全体かあるいは少なくとも後端部のケース基部１５が透明なプラスティックにより形成されている。またチップ１４も透明あるいは半透明で光を通す材料で製造されている。更に下地塗装も光を通すような薄い塗装膜とする。以上のような構成によって、スイッチ４２がオンになると、後部ケース１２の後端部が内部から照明され、表面が綺麗に輝く。
【００２６】
以上実施例を開示したが、本発明には以下のような変形例も考えられる。実施例においては、チップの形状として底面が円形、表面が多角錐の上部を水平に切断した多面体である例を開示したが、底面も多角錐と同じ多角形でもよい。また多角錐の角の数は任意である。実施例においては、スイッチによって発光ダイオードのオン、オフを行う例を開示したが、更にスイッチがオンした時に発光ダイオードを点滅させる電子回路を挿入してもよい。実施例においてはケース基部１５の表面はチップと同色の塗装とする例を開示したが、メッキ等により光を反射する鏡面仕上げとしてもよい。
【産業上の利用可能性】
【００２７】
本発明の筆記用具は公知の任意の筆記用具に適用可能である。
【図面の簡単な説明】
【００２８】
【図１】本発明の筆記用具の実施例の構成を示す断面図、一部拡大断面図、拡大平面図である。
【図２】図面に代えて本発明の筆記用具の１実施例の構成を示す写真である。
【符号の説明】
【００２９】
１０…ボールペン
１１…前部ケース
１２…後部ケース
１３…クリップ
１４…チップ
１５…ケース基部
１６、１７…塗装膜
１８…接着剤
【図１】
2009107218.tif 000003
【図２】
2009107218.tif 000004